(57)【要約】      （修正有）【課題】清掃性を向上させることができる衛生洗浄装置およびトイレ装置を提供する。【解決手段】便器２１の上面に取り付けられる本体１１と、便器２１の上面に形成された貫通孔２１ｂから引き出される管状部材４１，４２のうち少なくとも給水源から延びた給水ホース４１を本体１１に対して着脱自在に取り付ける着脱部６０とを備える。【選択図】図２
2019039227.tif 000002
【特許請求の範囲】
【請求項１】
便器の上面に取り付けられる本体と、
前記便器の上面に形成された貫通孔から引き出される管状部材のうち少なくとも給水源から延びた給水ホースを前記本体に対して着脱自在に取り付ける着脱部と
を備えること
を特徴とする衛生洗浄装置。
【請求項２】
前記本体と前記便器とが取り付けられた状態において、前記着脱部は、前記本体または前記便器によって、前記本体および前記便器の外部に露出しないこと
を特徴とする請求項１に記載の衛生洗浄装置。
【請求項３】
前記着脱部は、前記給水ホースが取り外されると止水する機能を有すること
を特徴とする請求項１または２に記載の衛生洗浄装置。
【請求項４】
前記着脱部は、前記給水ホースを前記貫通孔に固定する固定部を備えること
を特徴とする請求項１〜３いずれか１つに記載の衛生洗浄装置。
【請求項５】
前記着脱部における前記給水ホースの着脱方向が前記本体の前記便器に対する着脱方向と同じ向きであること
を特徴とする請求項１〜４のいずれか１つに記載の衛生洗浄装置。
【請求項６】
前記着脱部における前記給水ホースの着脱に要するストロークが前記本体の前記便器に対する着脱に要するストロークよりも短いこと
を特徴とする請求項５に記載の衛生洗浄装置。
【請求項７】
請求項１〜６のいずれか１つに記載の衛生洗浄装置と、
前記衛生洗浄装置が取り付けられる便器と
を備えること
を特徴とするトイレ装置。
【発明の詳細な説明】
【技術分野】
【０００１】
開示の実施形態は、衛生洗浄装置およびトイレ装置に関する。
【背景技術】
【０００２】
従来、便器の上面に取り付けられ、たとえば、便座に座った人の局部を洗浄する衛生洗浄装置がある。
【０００３】
近年は、衛生洗浄装置から延びた給水ホースや給電コードなどの管状部材が外部に露出しないように、管状部材を隠蔽することが望まれている。一例としては、衛生洗浄装置と便器との間において便器の上面に形成された貫通孔から便器の内部空間に管状部材を収容して隠蔽する構造がある（たとえば、特許文献１参照）。
【先行技術文献】
【特許文献】
【０００４】
【特許文献１】特開２０１５−１８３４２９号公報
【発明の概要】
【発明が解決しようとする課題】
【０００５】
ところで、便器の清掃時、衛生洗浄装置が取り付けられている場合は、衛生洗浄装置を便器から取り外して便器の上面および、衛生洗浄装置の裏面などを清掃する。
【０００６】
しかしながら、上記したような従来の衛生洗浄装置では、管状部材が便器の内部空間に収まる長さであるため、便器の清掃時、便器から本体を取り外しても管状部材の長さが足りないことから、本体を便器から距離的に離して床に置いたりすることができない。また、管状部材が便器上面にかかり、清掃の妨げとなる。このため、使用者が本体を保持したまま清掃作業を行う必要があるなど、清掃性について改善の余地があった。
【０００７】
実施形態の一態様は、清掃性を向上させることができる衛生洗浄装置およびトイレ装置を提供することを目的とする。
【課題を解決するための手段】
【０００８】
実施形態の一態様に係る衛生洗浄装置は、便器の上面に取り付けられる本体と、前記便器の上面に形成された貫通孔から引き出される管状部材のうち少なくとも給水源から延びた給水ホースを前記本体に対して着脱自在に取り付ける着脱部とを備えることを特徴とする。
【０００９】
かかる構成によれば、本体に対して給水ホースが着脱自在であるため、清掃時に本体と給水ホースとが分離し、本体を便器から距離的に離した状態で清掃を行えるようになる。このため、便器や衛生洗浄装置の清掃が容易となり、清掃性を向上させることができる。
【００１０】
また、上記した衛生洗浄装置において、前記本体と前記便器とが取り付けられた状態において、前記着脱部は、前記本体または前記便器によって、前記本体および前記便器の外部に露出しないことを特徴とする。
【００１１】
かかる構成によれば、着脱部は、本体または便器によって、本体および便器の外部に露出しないので、清掃時以外で、使用者が誤って、給水ホースを本体から取り外すことを抑制することができる。
【００１２】
また、上記した衛生洗浄装置において、前記着脱部は、前記給水ホースが取り外されると止水する機能を有することを特徴とする。
【００１３】
かかる構成によれば、給水ホースを取り外せば止水されるので、給水源から供給される水を止水するおおもとの止水栓を操作する必要がない。これにより、便器や衛生洗浄装置の清掃が容易となり、清掃性を向上させることができる。
【００１４】
また、上記した衛生洗浄装置において、前記着脱部は、前記給水ホースを前記貫通孔に固定する固定部を備えることを特徴とする。
【００１５】
かかる構成によれば、給水ホースが本体に取り付けられていない場合に、給水ホースが貫通孔から便器の内部空間に落ち込むのを防止することができる。このため、本体に対して給水ホースを容易に取り付けることができる。また、本体から取り外した給水ホースを再度本体に取り付ける場合も、容易に取り付けることができる。
【００１６】
また、上記した衛生洗浄装置において、前記着脱部における前記給水ホースの着脱方向が前記本体の前記便器に対する着脱方向と同じ向きであることを特徴とする。
【００１７】
かかる構成によれば、給水ホースの着脱方向が本体の着脱方向と同方向であるため、使用者による便器に対する本体の取り付け操作で給水ホースの取り付けが可能となり、使用者による便器に対する本体の取り外し操作で給水ホースの取り外しが可能となる。これにより、清掃時における給水ホースの取り付けおよび取り外しに要する手間を省くことができる。
【００１８】
また、上記した衛生洗浄装置において、前記着脱部における前記給水ホースの着脱に要するストロークが前記本体の前記便器に対する着脱に要するストロークよりも短いことを特徴とする。
【００１９】
かかる構成によれば、便器に対する本体の取り付け操作中に給水ホースが取り付けられ、便器に対する本体の取り外し操作中に給水ホースが取り外される。すなわち、本体の取り付けが完了する前に給水ホースの取り付けが完了し、本体の取り外しが完了する前に給水ホースの取り外しが完了する。このため、給水ホースを、確実に取り付けることができるとともに、確実に取り外すことができる。また、たとえば、給水ホースを取り外す場合、給水ホースがすでに本体から取り外されているため、給水ホースが引き出されて給水ホースに無理な力が加わることがないため、給水ホースが破損したりすることはない。
【００２０】
さらに、実施形態の一態様に係るトイレ装置は、前記衛生洗浄装置と、前記衛生洗浄装置が取り付けられる便器とを備えることを特徴とする。
【００２１】
かかる構成によれば、衛生洗浄装置の本体に対して給水ホースが着脱自在であるため、清掃時に衛生洗浄装置と給水ホースとが分離し、衛生洗浄装置を便器から距離的に離した状態で清掃を行えるようになる。このため、便器や衛生洗浄装置の清掃が容易となり、清掃性を向上させることができる。
【発明の効果】
【００２２】
実施形態の一態様によれば、清掃性を向上させることができる。
【図面の簡単な説明】
【００２３】
【図１】図１は、実施形態に係る衛生洗浄装置およびトイレ装置を示す概略斜視図（その１）である。
【図２】図２は、実施形態に係る衛生洗浄装置およびトイレ装置を示す概略斜視図（その２）である。
【図３Ａ】図３Ａは、固定部の説明図（その１）である。
【図３Ｂ】図３Ｂは、固定部の説明図（その２）である。
【図４】図４は、着脱部の着脱手順の説明図である。
【図５】図５は、着脱部の止水構造の一例の説明図である。
【図６】図６は、着脱部の変形例を示す概略斜視図である。
【発明を実施するための形態】
【００２４】
以下、添付図面を参照して、本願の開示する衛生洗浄装置およびトイレ装置の実施形態を詳細に説明する。なお、以下に示す実施形態によりこの発明が限定されるものではない。
【００２５】
＜１．トイレ装置＞
図１および図２を参照して実施形態に係るトイレ装置１について説明する。図１および図２は、実施形態に係る衛生洗浄装置１０およびトイレ装置１を示す概略斜視図である。なお、図２には、衛生洗浄装置１０の取り付け（または、取り外し）状態を示している。
【００２６】
図１および図２において、説明の便宜上、鉛直上向きを正方向とするＺ軸を含む３次元の直交座標系を図示している。かかる３次元の直交座標系は、他の図においても図示している場合がある。
【００２７】
かかる直交座標系は、Ｘ軸の正方向側を「前」、負方向側を「後」と規定し、Ｙ軸の正方向側を「右」、負方向側を「左」と規定し、Ｚ軸の正方向側を「上」、負方向側を「下」と規定している。このため、以下の説明においては、Ｘ軸方向を前後方向、Ｙ軸方向を左右方向、Ｚ軸方向を上下方向という場合がある。
【００２８】
図１に示すように、トイレ装置１は、便器部２と、衛生洗浄装置１０とを備える。なお、便器部２は、図示のような床置き式に限らず、壁掛け式でもよい。また、図示の例では、トイレ装置１は、洗浄水を貯留する洗浄水タンク３を備える。洗浄水タンク３は、たとえば、便器部２の後部に設置される。なお、トイレ装置１は、洗浄水タンク３が便器部２の後部に設置されない、いわゆるタンクレス式でもよい。
【００２９】
便器部２は、たとえば陶器製の便器本体（以下、便器という）２１を備える。便器２１の上面２１ａには、汚物を受ける凹部（以下、ボウルという）２２が形成される。また、便器部２は、洗浄水タンク３に貯留された洗浄水をボウル２２へ導く導水路（図示省略）や、ボウル２２の底部に接続されるトラップ管路（図示省略）などをさらに備える。
【００３０】
便器２１は、内部空間を有する。たとえば、便器２１の後部にカバーが取り付けられ、便器２１の外周面とカバーとの間に形成された空間を「内部空間」としてもよい。便器２１の内部空間には、後述する管状部材４が収納される。
【００３１】
トイレ装置１は、たとえば、サイホン作用を利用してボウル２２内の汚物を引き込んで、引き込んだ汚物を、トラップ管路を通じて排水管路へ排出する、いわゆるサイホン式である。なお、トイレ装置１は、サイホン式に限らず、たとえば、ボウル２２内の洗浄水の落差による流水作用で汚物を押し流す、いわゆる洗い落し式でもよい。
【００３２】
＜２．衛生洗浄装置＞
次に、実施形態に係る衛生洗浄装置１０について説明する。衛生洗浄装置１０は、本体１１が便器２１の上面２１ａ後部に取り付けられ、後述する便座１２に座った人（使用者）の局部に向けて洗浄水を噴射して、使用者の局部を洗浄する。
【００３３】
図１に示すように、衛生洗浄装置１０は、本体１１と、便座１２と、便蓋１３とを備える。便座１２は、後端部が本体１１に保持され、取り付け状態（すなわち、衛生洗浄装置１０を便器２１の上面２１ａに設置した状態）において、本体１１の前方に配置される。便座１２は、取り付け状態で上下方向に回動する。
【００３４】
便蓋１３は、後端部が本体１１に保持され、取り付け状態において、本体１１の前方、かつ、便座１２の上方に配置される。便蓋１３は、取り付け状態で上下方向に回動する。なお、便蓋１３は、衛生洗浄装置１０において必要に応じて設けられ、省略可能である。
【００３５】
衛生洗浄装置１０は、本体１１として、ケーシング１１ａと、機能部（図示省略）とを備える。機能部は、ケーシング１１ａに収容され、衛生洗浄装置１０への給水、給電に供する装置の他、たとえば、便座１２に座った人（使用者）の局部を洗浄する衛生洗浄ノズルや、ボウル２２内の臭いを除去する脱臭装置などを備える。
【００３６】
ここで、衛生洗浄装置１０と外部との間には、管状部材４が介在している。管状部材４としては、たとえば、給水源（図示省略）から延びた給水ホース４１や、電源（いわゆる電源コンセント）５２に接続される電源コード４２がある。また、管状部材４としては、本体１１側のジャックに接続される便器洗浄コード（図示省略）などがある。
【００３７】
便器洗浄コードは、たとえば、ボウル２２内の洗浄時に操作される回動レバーをリモコンによる操作で行う場合に、回動レバーの駆動モータと衛生洗浄装置１０とを電気的に接続して電力を供給する。
【００３８】
衛生洗浄装置１０は、便器２１に設置される場合、意匠性の向上の観点から、管状部材４が使用者の視界に入らないように、すなわち、管状部材４がトイレ装置１の外部に露出しないように管状部材４が隠蔽される、いわゆる給水給電隠蔽で設置される。
【００３９】
図２に示すように、衛生洗浄装置１０は、便器２１に設置される場合に、管状部材４が便器２１の上面２１ａ後部における左右いずれか一側部（図示の例では、左側部）の貫通孔２１ｂに挿通され、貫通孔２１ｂを介して、便器２１の内部空間に収納される。これにより、管状部材４を、トイレ装置１の外部にできるだけ露出させることなく、トイレ室のたとえば壁面５に設けられた止水栓５１や電源コンセント５２に接続することができる。
【００４０】
また、図２に示すように、衛生洗浄装置１０は、便器２１の上面２１ａに設けられた固定プレート２３を介して、便器２１の上面２１ａに取り付けられる。固定プレート２３は、便器２１の上面２１ａ後部において、上面（平面）視における中央部に設けられ、便器２１の上面２１ａと衛生洗浄装置１０の本体１１との間において、本体１１を固定する。固定プレート２３は、衛生洗浄装置１０（本体１１）を、前後方向にスライド移動させることで、着脱させる。
【００４１】
固定プレート２３は、本体１１を前方から後方（Ｘ軸の負方向）に所定量だけスライド移動させることで、本体１１の取り付けを可能とする。また、固定プレート２３は、本体１１を後方から前方（Ｘ軸の正方向）に所定量だけスライド移動させることで、本体１１の取り外しを可能とする。このように、固定プレート２３は、衛生洗浄装置１０を固定するとともに、衛生洗浄装置１０を介して、便器２１に便座１２や便蓋１３を連結する。
【００４２】
フレキシブルホースなどの給水ホース４１は、従来、衛生洗浄装置１０の本体１１に一体的に接続される。たとえば、トイレ装置１の施工時、専門の業者が工具を用いて本体１１に接続させた給水ホース４１は、損傷などが発生しない限り本体１１から取り外すことはない。また、損傷などが発生して給水ホース４１を本体１１から取り外す場合も、専門の業者が工具を用いて取り外すため、使用者が給水ホース４１を取り外すことはない。
【００４３】
このように、従来、本体１１に接続された給水ホース４１は、本体１１から取り外せないように構成されており、たとえば、便器２１の清掃時、便器２１から衛生洗浄装置１０を取り外す場合、便器２１から本体１１を取り外しても、給水ホース４１が本体１１と繋がったままである。また、図２に示すように、給水ホース４１などの管状部材４は便器２１の貫通孔２１ｂを挿通させているため、便器２１から取り外した本体１１を便器２１から距離的に離せない。このため、使用者は、たとえば、本体１１を手に持ったまま便器２１の清掃を行う。
【００４４】
実施形態に係る衛生洗浄装置１０は、管状部材４のうち少なくとも給水ホース４１が本体１１に対して着脱可能なように構成される。このため、図２に示すように、衛生洗浄装置１０は、着脱部６０をさらに備える。着脱部６０は、便器２１の貫通孔２１ｂから引き出される管状部材４のうち少なくとも給水ホース４１を本体１１に対して着脱自在に取り付ける。
【００４５】
ここで、「着脱自在」とは、工具を用いることなく、たとえばワンタッチで着脱可能なことをいう。また、「着脱自在」に、工具を用いたとしても、たとえば、使用者、すなわち、専門の業者ではない者が、たとえば、衛生洗浄装置１０を手に持ったまま工具で容易に着脱できるような構成を含めてもよい。
【００４６】
＜３．着脱部＞
次に、図３Ａ〜図５を参照して着脱部６０の一例について説明する。以下では、まず、図３Ａおよび図３Ｂを用いて、着脱部６０（一方の着脱部６２）の固定構造（固定部６５）を説明し、次いで、図４を用いて、着脱部６０の着脱手順を説明し、次いで、図５を用いて、着脱部６０の止水構造を説明する。図３Ａおよび図３Ｂは、固定部６５の説明図である。なお、図３Ａには、固定部６５の上面（平面）を示し、図３Ｂには、図３ＡにおけるＡ−Ａ断面を示している。
【００４７】
着脱部６０は、上記したように、管状部材４のうち少なくとも給水ホース４１を、衛生洗浄装置１０の本体１１に対して着脱させる機能を有する。具体的には、着脱部６０は、カプラ構造である。着脱部６０は、一方の着脱部６１と、他方の着脱部６２とにより構成される。着脱部６０のうち、一方の着脱部６１は、止水栓５１（図２参照）から延びる給水ホース４１側に設けられ、他方の着脱部６２は、衛生洗浄装置１０の本体１１側に設けられる。以下では、着脱部６０のうち、一方の着脱部６１を給水ホース側着脱部といい、他方の着脱部６２を本体側着脱部という。
【００４８】
図３Ａおよび図３Ｂに示すように、給水ホース側着脱部６１は、給水ホース４１の先端部に設けられる。給水ホース側着脱部６１は、固定部６５を備える。固定部６５は、給水ホース４１を貫通孔２１ｂに固定するとともに、給水ホース側着脱部６１を貫通孔２１ｂから便器２１の上面２１ａに突出させた状態で固定する。
【００４９】
図３Ｂに示すように、固定部６５は、貫通孔２１ｂに嵌入可能な円板状に形成される。固定部６５には、孔６５ａが形成される。固定部６５は、貫通孔２１ｂに嵌入され、給水ホース側着脱部６１が孔６５ａに挿通されることで、給水ホース側着脱部６１を貫通孔２１ｂ上に固定する。なお、固定部６５には、孔６５ａに代えてスリットが形成され、かかるスリットに給水ホース側着脱部６１を挿通させてもよい。
【００５０】
また、図示しないが、固定部６５は、他の孔やスリットを有することで、給水ホース４１以外の管状部材４（図２参照）である電源コード４２（図２参照）や便器洗浄コードを貫通孔２１ｂから引き出す。
【００５１】
このように、給水ホース側着脱部６１は、便器２１の上面２１ａにおける貫通孔２１ｂ上に固定され、衛生洗浄装置１０の本体１１側に設けられた本体側着脱部６２を移動させることで、給水ホース４１を本体１１に対して着脱させる。
【００５２】
また、図２、図３Ａおよび図３Ｂに示すように、衛生洗浄装置１０の本体１１と便器２１とが取り付けられた状態において、着脱部６０は、本体１１または便器２１によって、本体１１および便器２１の外部に露出しない。
【００５３】
図４は、着脱部６０の着脱手順の説明図である。なお、図４には、便器２１および衛生洗浄装置１０の上面（平面）を示し、図中上部に衛生洗浄装置１０を取り付ける前（途中）の状態を示し、図中下部に衛生洗浄装置１０を取り付けた後の状態を示している。
【００５４】
図４に示すように、衛生洗浄装置１０（本体１１）を便器２１に取り付ける場合、本体１１を、便器２１の上面２１ａ上を前方から後方（Ｘ軸の負方向）へとスライド移動させる。この場合、着脱部６０における給水ホース４１の着脱方向は前後方向であり、本体１１の便器２１（固定プレート２３）に対する着脱方向と同方向である。このため、本体１１の便器２１への取り付け操作中に、給水ホース４１の本体１１への取り付けが完了する。
【００５５】
衛生洗浄装置１０（本体１１）を便器２１から取り外す場合は、本体１１を、便器２１の上面２１ａ上を後方から前方（Ｘ軸の正方向）へとスライド移動させる。この場合も、着脱部６０における給水ホース４１の着脱方向Ｄ１は前後方向であり、本体１１の便器２１（固定プレート２３）に対する着脱方向Ｄ２と同方向であるため、本体１１の便器２１からの取り外し操作中に、給水ホース４１の本体１１からの取り外しが完了する。
【００５６】
また、着脱部６０における給水ホース４１の着脱に要するストロークＳ１は、本体１１の便器２１に対する着脱に要するストロークＳ２よりも短い。このため、本体１１の便器２１への取り付けが完了する前に、給水ホース４１の本体１１への取り付けが完了し、本体１１の便器２１からの取り外しが完了する前に、給水ホース４１の本体１１からの取り外しが完了する。
【００５７】
また、着脱部６０は、給水ホース４１が本体１１から取り外されると止水する機能を有する。衛生洗浄装置１０においては、給水ホース４１が本体１１に取り付けられている場合には常時給水される状態にあり、給水ホース４１が本体１１から取り外される場合、給水ホース４１が取り外されるよりも前、あるいは、給水ホース４１が取り外されると同時に止水する。
【００５８】
図５は、着脱部６０の止水構造の一例の説明図である。なお、図５には、着脱部６０の左右方向の断面を示し、図中上部に止水状態を示し、図中下部に給水状態を示している。図５に示すように、着脱部６０は、カプラ構造である。着脱部６０のうち、給水ホース側着脱部６１は、給水ホース４１の先端部に設けられ、カプラソケット６１１と、逆止弁６１２とを備え、本体側着脱部６２は、本体１１の後部に設けられ、カプラプラグ６２１を備える。
【００５９】
カプラソケット６１１は、給水ホース４１側に給水状態で洗浄水Ｗが流入する流入口６１１ａを備える。また、カプラソケット６１１は、カプラプラグ６２１が挿入される側にストッパリング６１１ｂを備える。逆止弁６１２は、カプラソケット６１１の流入口６１１ａに向けて逆止弁６１２を付勢するばね６１２ａを備える。逆止弁６１２は、ばね６１２ａによって流入口６１１ａに押し付けられた状態で流入口６１１ａを閉塞して止水する止水リング６１２ｂを備える。
【００６０】
カプラプラグ６２１は、給水状態で給水ホース４１から流れ込んだ洗浄水Ｗが本体側へ流れる流路６２１ａを備える。また、カプラプラグ６２１は、外周面に設けられ、軸まわりに突出している凸部６２１ｂを備える。
【００６１】
図５（上部）に示すように、着脱部６０は、止水状態では、カプラプラグ６２１が矢線方向に移動することで、逆止弁６１２がばね６１２ａに押されてカプラソケット６１１の流入口６１１ａを閉塞する。これにより、止水する。
【００６２】
図５（下部）に示すように、着脱部６０は、給水状態では、カプラプラグ６２１が矢線方向に移動することで、逆止弁６１２がばね６４１２ａの付勢力に抗して押されて流入口６１１ａを開放する。これにより、洗浄水Ｗが流れる。
【００６３】
上記した実施形態に係る衛生洗浄装置１０によれば、本体１１に対して給水ホース４１が着脱自在であるため、清掃時に本体１１と給水ホース４１とが分離し、本体１１を便器２１から距離的に離した状態で清掃を行えるようになる。このため、便器２１や衛生洗浄装置１０の清掃が容易となり、清掃性を向上させることができる。
【００６４】
また、着脱部６０は、本体１１または便器２１によって、本体１１および便器２１の外部に露出しないので、清掃時以外で、使用者が誤って、給水ホース４１を本体１１から取り外すことを抑制することができる。
【００６５】
また、着脱部６０が止水機能を有するため、給水ホース４１を取り外せば止水されるので、給水源から供給される水を止水するおおもとの止水栓５１を操作する必要がない。これにより、便器２１や衛生洗浄装置１０の清掃が容易となり、清掃性を向上させることができる。
【００６６】
また、固定部６５を備えるため、給水ホース４１が本体１１に取り付けられていない場合に、給水ホース４１が貫通孔２１ｂから便器２１の内部空間に落ち込むのを防止することができる。このため、本体１１に対して給水ホース４１を容易に取り付けることができる。また、本体１１から取り外した給水ホース４１を再度本体１１に取り付ける場合も、容易に取り付けることができる。
【００６７】
また、給水ホース４１の着脱方向が本体１１の着脱方向と同方向であるため、使用者による便器２１に対する本体１１の取り付け操作で給水ホース４１の取り付けが可能となり、使用者による便器２１に対する本体１１の取り外し操作で給水ホース４１の取り外しが可能となる。これにより、清掃時における給水ホース４１の取り付けおよび取り外しに要する手間を省くことができる。
【００６８】
また、給水ホース４１の着脱に要するストロークＳ１が本体１１の着脱に要するストロークＳ２よりも短いため、便器２１に対する本体１１の取り付け操作中に給水ホース４１が取り付けられ、便器２１に対する本体１１の取り外し操作中に給水ホース４１が取り外される。すなわち、本体１１の取り付けが完了する前に給水ホース４１の取り付けが完了し、本体１１の取り外しが完了する前に給水ホース４１の取り外しが完了する。このため、給水ホース４１を、確実に取り付けることができるとともに、確実に取り外すことができる。
【００６９】
また、たとえば、給水ホース４１を取り外す場合、給水ホース４１がすでに本体１１から取り外されているため、給水ホース４１が引き出されて給水ホース４１に無理な力が加わることがないため、給水ホース４１が破損したりすることはない。
【００７０】
また、実施形態に係るトイレ装置１によれば、上記した衛生洗浄装置１０を備えることで、衛生洗浄装置１０において本体１１に対して給水ホース４１が着脱自在となり、清掃時に本体１１と給水ホース４１とが分離し、本体１１を便器２１から距離的に離した状態で清掃を行えるようになる。このため、便器２１や衛生洗浄装置１０の清掃が容易となり、清掃性を向上させることができる。
【００７１】
なお、上記した実施形態では、着脱部６０は、給水ホース４１の先端部と衛生洗浄装置１０の本体１１の後部とに配置されるが、これに限定されず、本体１１と止水栓５１との間の任意の位置に配置されてもよい。
【００７２】
図６は、着脱部６０の変形例（着脱部６０Ａ）を示す概略斜視図である。図６に示すように、着脱部６０Ａは、給水ホース４１の中途位置に配置される。この場合、給水ホース４１は、着脱部６０Ａから本体１１側のホース４１ａと着脱部６０Ａから止水栓５１側のホース４１ｂとに分かれている。この場合、本体１１側のホース４１ａは、衛生洗浄装置１１に含まれ、止水栓５１側のホース４１ｂは、給水ホース４１に含まれる。
【００７３】
かかる構成としても、清掃時に本体１１と給水ホース４１とが分離し、本体１１を便器２１から距離的に離した状態で清掃を行えるようになる。このため、便器２１や衛生洗浄装置１０の清掃が容易となり、清掃性を向上させることができる。
【００７４】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００７５】
１    トイレ装置
４    管状部材
１０    衛生洗浄装置
１１    本体
２１    便器
２１ａ  上面
２１ｂ  貫通孔
４１    給水ホース
６０    着脱部
６５    固定部
Ｄ１  給水ホースの着脱方向
Ｄ２  本体の着脱方向
Ｓ１  給水ホースの着脱ストローク
Ｓ２  本体の着脱ストローク
【図１】
2019039227.tif 000003
【図２】
2019039227.tif 000004
【図３Ａ】
2019039227.tif 000005
【図３Ｂ】
2019039227.tif 000006
【図４】
2019039227.tif 000007
【図５】
2019039227.tif 000008
【図６】
2019039227.tif 000009